(57)【要約】【課題】支持体の外側での簡単な操作によって鍵のタッチ感を変更できるようにする。【解決手段】フレーム部材（支持体）３と、フレーム部材３に対して揺動自在に設けた鍵１０と、フレーム部材３に対して揺動自在に設けた質量体２０と、質量体２０による反力を鍵１０に与える伝達部１１と、を具備し、質量体２０は、フレーム部材３の内側に配置されており、質量体支点７を介して揺動自在に設けられた枠部材３０と、枠部材３０に設けた挿入部３２に挿入されている長尺状部材４０とを備えて構成され、フレーム部材３の外側に配置され、挿入部３２に挿入されている長尺状部材４０をその長手方向に沿って移動させる移動機構２１をさらに備え、移動機構２１により長尺状部材４０を移動させることで、質量体２０の重心の位置を調整し、質量体２０による反力を調整する鍵盤装置。【選択図】図１
2009063668.tif 000002
【特許請求の範囲】
【請求項１】
支持体と、前記支持体に対して揺動自在に設けた鍵と、前記支持体に対して揺動自在に設けた質量体と、前記質量体による反力を前記鍵に与える伝達部と、を具備し、
前記質量体は、前記支持体の内側に配置されており、前記支持体に対して支点を介して揺動自在に支持された枠部材と、前記枠部材に設けた挿入部に挿入されている長尺状部材と、を備えて構成され、
前記支持体の外側に配置され、前記挿入部に挿入されている前記長尺状部材を該長尺状部材の長手方向に沿って移動させる移動機構をさらに備え、
前記移動機構により前記長尺状部材を移動させることで、前記質量体の重心の位置を調整し、前記質量体による前記反力を調整することを特徴とする鍵盤装置。
【請求項２】
前記長尺状部材は、柔軟性を有する部材からなることを特徴とする請求項１に記載の鍵盤装置。
【請求項３】
前記挿入部に挿入された前記長尺状部材は、前記枠部材に設けた引出部から前記質量体の外部に引き出されており、
前記引出部は、前記枠部材における前記支点あるいは前記支点の近傍位置に配置されていることを特徴とする請求項２に記載の鍵盤装置。
【請求項４】
前記挿入部に挿入されている長尺状部材に隣接し、前記長尺状部材の移動に伴い前記長尺状部材と一体的に移動する他の部材をさらに備えることを特徴とする請求項１又は２又は３に記載の鍵盤装置。
【請求項５】
前記移動機構は、前記鍵盤装置が備える複数の鍵に対応する複数の長尺状部材を一括して移動させる移動部材を備え、
前記移動部材は、その長手方向が前記鍵盤装置のスケール方向に延びて前記複数の長尺状部材に連結された他の長尺状部材からなり、
前記移動部材は、その長手方向の両端部のうち少なくとも一方の端部が前記長尺状部材を前記質量体から出し入れする方向に移動可能であることを特徴とする請求項１乃至４のいずれかに記載の鍵盤装置。
【請求項６】
支持体と、前記支持体に対して揺動自在に設けた鍵と、前記支持体に対して揺動自在に設けた質量体と、前記質量体による反力を前記鍵に与える伝達部と、を具備し、
前記質量体は、
前記支持体に対して支点を介して揺動自在に支持された枠部材と、
前記枠部材に設けた挿入部内で移動可能に設置された長尺状部材と、
前記枠部材に搭載され、前記長尺状部材を前記挿入部内で移動させるための駆動力を生じる駆動源と、
前記枠部材上に設けられ、前記駆動源の駆動力を前記長尺状部材に伝えることで前記長尺状部材をその長手方向に沿って前記挿入部内で移動させる移動機構と、を備えて構成され、
前記駆動源及び前記移動機構により前記長尺状部材を移動させることで、前記質量体の重心の位置を調整し、前記質量体による前記反力を調整することを特徴とする鍵盤装置。
【発明の詳細な説明】
【技術分野】
【０００１】
本発明は、電子ピアノや電子オルガンなどの電子楽器が備える鍵盤装置に関する。
【背景技術】
【０００２】
従来の電子楽器が備える鍵盤装置の一例として、特許文献１に記載された鍵盤装置がある。特許文献１の鍵盤装置は、フレームやケースなどの支持体に対して揺動自在に支持された鍵と、鍵の下方で支持体に対して揺動自在に支持され、鍵の移動に伴い鍵によって駆動されて揺動する質量体（ハンマーアーム）とを備えている。質量体は、所定の重さを有し、その重心が支点に対して鍵によって駆動される部分と反対側の位置にある。これにより、質量体には、鍵を押し返す方向への回転力（モーメント）が生じている。この回転力によって質量体から鍵に対して荷重が与えられている。この質量体から鍵に与えられる荷重によって、押鍵時の鍵のタッチ感（慣性質量感）をアコースティックピアノなど本来の鍵盤楽器のタッチ感に近付けることが可能となる。
【０００３】
このような鍵盤装置を備える電子楽器において、その演奏感覚を本来の鍵盤楽器の演奏感覚にさらに近付けるためには、電子楽器が発生する楽音の音色や演奏者の好みなどに応じて、鍵のタッチ感を変更できるようにすることが望ましい。例えば、ピアノ音色ではタッチ感が重く、オルガン音色ではピアノ音色よりタッチ感が軽くなるように変更できるとよい。
【０００４】
そこで、上記の特許文献１の鍵盤装置あるいは下記の特許文献２及び特許文献３の鍵盤装置では、質量体から鍵に与えられる荷重を変更可能な構成を採用している。特許文献１あるいは特許文献２に記載の鍵盤装置では、質量体に錘を取り付け、この錘の取付位置を質量体の長手方向に沿って変更できるように構成している。また、特許文献３に記載の鍵盤装置では、質量体の一部を切り取るなどして取り除くことで、質量体の質量及び質量分布を変更することができるようにしている。これらの鍵盤装置によれば、質量体の重心の位置を変えて、質量体から鍵に与えられる荷重を変えることができる。これにより、電子楽器の演奏状況などに応じて鍵のタッチ感を変更することが可能となる。
【特許文献１】実開平３−１１７２８９号公報
【特許文献２】特開平４−１７２３９８号公報
【特許文献３】実公平５−８６３５号公報
【発明の開示】
【発明が解決しようとする課題】
【０００５】
特許文献１に記載の鍵盤装置では、錘の取付位置を変える機構として、質量体の本体部に形成したネジ軸と錘に形成したネジ穴とを有し、ネジ穴をネジ軸にネジ係合させて錘自体の回転によるネジの送りで錘を移動させる機構を採用している。この機構で錘の取付位置を変えるには、鍵盤装置の外部（質量体の周りに配置されたフレームやケースなどの支持体の外側）からドライバーなどの工具を挿入して、該工具を錘に係合させて錘を回転させる必要がある。
【０００６】
また、特許文献２に記載の鍵盤装置では、押鍵時の質量体の揺動による遠心力で、錘が質量体の長手方向に動き、押鍵の強さあるいは速さに応じて鍵のタッチ感が変化するようになっているが、錘の質量体への取付位置を変更するには、錘を位置決めしているストッパーの固定ネジを緩めることでその作業を行う必要がある。
【０００７】
特許文献１の鍵盤装置では、錘を移動させる際に錘が回転して工具から離れる方へ移動すると、錘の移動に伴って工具が鍵盤装置の内部に次第に深く挿入されてゆく。つまり、錘の移動に伴って錘を移動させる操作を行う位置が移動するので、一定の位置で操作を行うことができない。このため、錘の取付位置を変更する作業が行い難いという問題がある。
【０００８】
また、特許文献１あるいは特許文献２の鍵盤装置では、錘の取付位置を変える際に錘にドライバーなどの工具を係合させる必要がある。ところが、質量体は揺動可能な状態で支持されているため、錘に工具を係合させる際に工具で錘が押されると質量体が動いてしまい、錘の位置が一定に定まらない。このため、錘の取付位置を変更する作業が行い難いという問題がある。
【０００９】
さらに、特許文献１乃至特許文献３の鍵盤装置では、複数の鍵に対応する複数の質量体の重心位置の変更は質量体ごとに行わなければならないため、複数の鍵のタッチ感を変更する作業に手間と時間がかかる。その上、複数の質量体に取り付けた錘を同じ移動量で移動させるなど、決められた移動量で移動させることが簡単に行えない。したがって、複数の鍵のタッチ感を統一して変えたり、複数の鍵のタッチ感をスケール方向で規則的に異ならせたりして所望のタッチ感を実現することが簡単に行えない。
【００１０】
本発明は上述の点に鑑みてなされたものでありその目的は、簡単な操作で鍵のタッチ感を所望のタッチ感に変更することができる鍵盤装置を提供することにある。
【課題を解決するための手段】
【００１１】
上記課題を解決するため本発明の鍵盤装置は、支持体と、支持体に対して揺動自在に設けた鍵と、支持体に対して揺動自在に設けた質量体と、質量体による反力を鍵に与える伝達部と、を具備し、質量体は、支持体の内側に配置されており、支持体に対して支点を介して揺動自在に支持された枠部材と、枠部材に設けた挿入部に挿入されている長尺状部材と、を備えて構成され、支持体の外側に配置され、挿入部に挿入されている長尺状部材を該長尺状部材の長手方向に沿って移動させる移動機構をさらに備え、移動機構により長尺状部材を移動させることで、質量体の重心の位置を調整し、質量体による反力を調整することを特徴とする。
【００１２】
この構成によれば、質量体に挿入した長尺状部材を移動機構にて移動させるだけで質量体から鍵に与えられる荷重を変更することができる。したがって、簡単な操作で鍵のタッチ感を所望のタッチ感に変更することが可能となる。
【００１３】
また、この構成によれば、質量体を支持体の内側に配置している一方、質量体に挿入した長尺状部材を移動させる移動機構を支持体の外側に配置しているので、長尺状部材を移動させる操作を支持体の外側で行うことが可能となる。したがって、特許文献１に記載の鍵盤装置のように、支持体の内側に外側から工具などを挿入する必要がなくなる上に、鍵のタッチ感を変更する操作を行う操作位置が変わらずに済む。また、不安定な状態で支持されている質量体に工具を係合させる操作なども必要なくなる。したがって、鍵のタッチ感を変更する操作が行い易くなる。
【００１４】
上記の鍵盤装置では、長尺状部材は、柔軟性を有する部材からなるようにしてもよい。
【００１５】
この構成によれば、質量体の外部に出ている長尺状部材が柔軟性により少ない抵抗で変形するようになるので、長尺状部材が質量体の揺動の動作に与える影響が小さくなり、質量体のスムーズな揺動が実現される。したがって、鍵の操作感覚に質量体の本来の揺動に基づく感覚以外の感覚が加わらずに済み、演奏時の鍵の操作感覚が良好になる。
【００１６】
また、この構成によれば、質量体の挿入部が湾曲した形状など直線状以外の形状であっても、長尺状部材が挿入部の形状に追従しながら挿入部に挿入されるようになる。したがって、質量体からの長尺状部材の出し入れが滑らかになり、鍵のタッチ感の変更がスムーズに行えるようになる。
【００１７】
また、この構成によれば、長尺状部材が柔軟性を有することで、質量体の外部に出ている長尺状部材を小型化できる形状に変形させることが可能となる。したがって、質量体の外部に出ている長尺状部材の設置スペースを節約でき、鍵盤装置の小型化を図ることができる。
【００１８】
上記の鍵盤装置では、長尺状部材は、枠部材に設けた引出部から質量体の外部に引き出されており、引出部は、枠部材における支点あるいは支点の近傍位置に配置されていてもよい。
【００１９】
この構成によれば、支点あるいは支点の近傍位置に配置されている引出部は、質量体の揺動の際に位置が変化しないか、あるいは位置が変化してもその変化量が少ないので、質量体の外部に引き出されている長尺状部材が質量体の揺動によって移動する移動量を最小限に抑えることができる。したがって、演奏時の押鍵によって質量体が繰り返し揺動しても、長尺状部材にかかる負担が少なくて済むので、長尺状部材が長持ちし、耐久性に優れた鍵盤装置となる。
【００２０】
また、この構成によれば、質量体の揺動による長尺状部材の移動量を最小限に抑えることができるので、質量体の揺動がスムーズになる。したがって、鍵の操作感覚に質量体の本来の揺動に基づく感覚以外の感覚が加わらずに済み、演奏時の鍵の操作感覚が良好になる。
【００２１】
上記の鍵盤装置では、挿入部に挿入されている長尺状部材に隣接し、長尺状部材の移動に伴い長尺状部材と一体的に移動する他の部材をさらに備えてもよい。
【００２２】
この構成によれば、他の部材として長尺状部材よりも比重の大きい部材を用いることで、長尺状部材のみで鍵のタッチ感を変更する場合と比べて、鍵のタッチ感をより大きな幅（レンジ）で変更できるようになる。したがって、鍵のタッチ感の変更によって演奏者の演奏感覚に与える効果をより大きなものにすることができる。
【００２３】
また、この構成によれば、長尺状部材に隣接する他の部材の大きさや比重や数などを適宜に選択することで、タッチ感の変更の幅（レンジ）を調節することが可能となる。したがって、鍵のタッチ感をさらに所望のタッチ感に近付けることができる。
【００２４】
上記の鍵盤装置では、移動機構は、鍵盤装置が備える複数の鍵に対応する複数の長尺状部材を一括して移動させる移動部材を備え、移動部材は、その長手方向が鍵盤装置のスケール方向に延びて複数の長尺状部材に連結された他の長尺状部材からなり、移動部材は、その長手方向の両端部のうち少なくとも一方の端部が長尺状部材を質量体から出し入れする方向に移動可能であってもよい。
【００２５】
この構成によれば、移動部材を移動させることで、複数の鍵に対応する複数の長尺状部材をまとめて移動させることが可能となる。したがって、複数の鍵のタッチ感の変更を簡単かつ迅速に行えるようになる。また、一の移動部材で複数の鍵に対応する複数の長尺状部材を移動させるように構成したので、長尺状部材を移動させる移動機構の部品点数を少なくすることができ、鍵盤装置の構成を簡単にすることができる。
【００２６】
また、この構成によれば、移動部材の両端を互いに異なる位置に配置することで、移動部材をその長手方向に沿って前後に傾けることができる。これにより、各鍵に対応する質量体に長尺状部材が挿入されている挿入量をスケール方向で順に異ならせて、鍵のタッチ感のキースケーリングを行うことが可能となる。この場合、さらに、移動部材の両端の位置を調節することで、移動部材の長手方向の傾き量を調節すれば、鍵のタッチ感をキースケーリングするキースケーリング量（スケール方向でのタッチ感の変化量）を調節することが可能となり、鍵のタッチ感をさらに所望のタッチ感に近付けることができる。
【００２７】
また、本発明の鍵盤装置は、支持体と、支持体に対して揺動自在に設けた鍵と、支持体に対して揺動自在に設けた質量体と、質量体による反力を鍵に与える伝達部と、を具備し、質量体は、支持体に対して支点を介して揺動自在に支持された枠部材と、枠部材に設けた挿入部内で移動可能に設置された長尺状部材と、枠部材に搭載され、長尺状部材を挿入部内で移動させるための駆動力を生じる駆動源と、枠部材上に設けられ、駆動源の駆動力を長尺状部材に伝えることで長尺状部材をその長手方向に沿って挿入部内で移動させる移動機構と、を備えて構成され、駆動源及び移動機構により長尺状部材を移動させることで、質量体の重心の位置を調整し、質量体による反力を調整することを特徴とする。
【００２８】
この構成によれば、質量体に挿入した長尺状部材を駆動源及び移動機構にて移動させるだけで、質量体から鍵に与えられる荷重を変更することができる。したがって、簡単な操作で鍵のタッチ感を所望のタッチ感に変更することが可能となる。
【００２９】
また、この構成によれば、長尺状部材を移動させるための駆動源及び移動機構を質量体に搭載しているので、長尺状部材が質量体の外部に対して接触する箇所はなく、長尺状部材が質量体の外部から独立した状態になる。したがって、揺動する質量体の系が静止している外部の系に対して独立した状態になる。これにより、揺動する質量体に本来作用すべき力以外の力が作用しなくなるので、鍵の操作感覚に質量体の本来の揺動に基づく感覚以外の感覚が加わらずに済み、演奏時の鍵の操作感覚が良好になる。
【発明の効果】
【００３０】
本発明の鍵盤装置によれば、簡単な操作で質量体の重心の位置を変えることができ、鍵のタッチ感を所望のタッチ感に変更することができる。
【発明を実施するための最良の形態】
【００３１】
以下、本発明の実施形態を図面に基づいて詳細に説明する。なお、以下の説明では、鍵盤装置が備える鍵の長手方向における両側のうち、鍵盤を演奏する演奏者の側を手前あるいは前といい、その反対側を奥あるいは後という。
【００３２】
〔第１実施形態〕
図１及び図２は、本発明の第１実施形態にかかる鍵盤装置１が備える鍵１０及びその周辺の構成部品を示す概略側断面図である。なお、これらの図では、鍵盤装置１が備える１個の鍵及びその周辺の構成部品のみを示している。鍵盤装置１は、棚板２に取り付けられたフレーム部材３と、フレーム部材３の上部でフレーム部材３に対して移動可能に支持された鍵１０と、鍵１０の下方でフレーム部材３に対して揺動自在に支持された質量体２０とを備えて構成されている。なお、図１では、鍵１０が押されておらず、鍵１０が及び質量体２０が後述する非押鍵位置にある状態を示しており、図２では、鍵１０が押され、鍵１０が及び質量体２０が移動し始めたときの状態を示している。なお、図１及び図２では、鍵１０が白鍵である場合を示しているが、黒鍵の場合も同様の構成になっている。
【００３３】
棚板２は、鍵１０を配列するための棚の底部を構成する平板状の部材である。フレーム部材３は、棚板２の上面に固定されている。フレーム部材３は、一体に形成された上壁３ａと前後一対の側壁３ｂ，３ｃとを有し、側断面形状が略コ字状に形成されている。棚板２及びフレーム部材３は、鍵盤装置１のスケール方向（図１の紙面に直交する方向）に延びており、複数の鍵１０に対応する位置に跨って配置されている。棚板２やフレーム部材３は、移動する鍵１０や質量体２０に対して固定されている固定部であって、鍵１０や質量体２０を揺動自在に支持している支持体となっている。なお、鍵１０や質量体２０は、該支持体に対して揺動（回動）自在に設けられているが、その支持構造としては、鍵１０や質量体２０が支持体に対して直接揺動自在に支持されているもののみならず、間接部材（例えば支点部材）を介して間接的に支持される構造であってもよい。
【００３４】
鍵１０は、フレーム部材３の上壁３ａの後端部から上方に突出する鍵支持片４に支持されている。鍵１０は、その長手方向の後端部が鍵支持片４の上端に設けた鍵支点５に軸支されており、前端部が上下方向に移動するようになっている。鍵１０の前端部近傍の下面には、下方に突出する駆動片１１が形成されている。駆動片１１は、鍵１０の移動に伴って、後述する質量体２０の被駆動部３１を駆動（押圧）して質量体２０を移動させ、質量体２０による反力を鍵１０に与える伝達部として機能する。なお、該伝達部には、駆動片１１と後述する被駆動部３１との間に軸支された軸部ｔｒも含まれる。
【００３５】
質量体２０は、フレーム部材３の上壁３ａ及び両側壁３ｂ，３ｃと棚板２とによって囲まれた内側に配置され、対応する鍵１０の真下位置に配置されている。質量体２０は、フレーム部材３の上壁３ａの下面から下方に突出する質量体支持片６に軸支された枠部材３０と、枠部材３０に取り付けられた長尺状部材４０とを備えて構成されている。枠部材３０は、質量体支点７を中心に上下方向に揺動するようになっている。
【００３６】
枠部材３０は、合成樹脂あるいは金属などで一体形成された長尺形状の部材であり、その長手方向が鍵１０の長手方向に沿って延びている。質量体支点７は、枠部材３０の長手方向の途中位置に配置されており、枠部材３０の前端部には、鍵１０の駆動片１１で駆動される被駆動部３１が設けられている。被駆動部３１は、駆動片１１の下端に軸部ｔｒを介して軸支されており、駆動片１１と共に上下に移動するようになっている。
【００３７】
枠部材３０の被駆動部３１より後側には、長尺状部材４０を挿入させる挿入部３２が設けられている。挿入部３２は、枠部材３０の上面に形成された長尺状部材４０を載置する載置面３２ａと、載置面３２ａ上に載置された長尺状部材４０を保持する保持部３２ｂとで構成されている。保持部３２ｂは、載置面３２ａ上に設けた突起部に形成された貫通穴からなり、長尺状部材４０をその内部に挿通させて保持するようになっている。保持部３２ｂは、載置面３２ａの長手方向に沿って所定間隔で複数形成されている。最後部の保持部３２ｂは、枠部材３０の後端部３４に形成されている。
【００３８】
長尺状部材４０は、金属材料などで構成された所定の質量を有する棒状の部材である。本実施形態の長尺状部材４０は、その重さにより質量体２０に質量体支点７回りの回転力（慣性力）を付与する錘としての機能を有する部材である。長尺状部材４０は、その長さが挿入部３２の長さよりも長く、前側の部分が質量体２０の後方から挿入部３２に挿入されて、後側の部分が最後部の保持部３２ｂから質量体２０の後方に突出した状態で質量体２０に取り付けられている。長尺状部材４０の下面には、長手方向に沿って連続した歯（ラック）４１が形成されている。
【００３９】
質量体２０の後方には、長尺状部材４０を移動させる移動機構２１が配置されている。移動機構２１は、長尺状部材４０に形成した歯４１と、質量体２０の後方で回転自在に設置された長尺状部材４０の歯４１に噛み合う歯車４５とで構成されている。さらに、質量体２０の後方には、歯車４５を回転させるためのモータ４６と、歯車４５の回転軸４５ａとモータ４６の回転軸４６ａとの間に掛けられたベルト４７とが設置されている。モータ４６の回転がベルト４７を介して歯車４５の回転軸４５ａに伝えられることで、移動機構２１の歯車４５が回転するようになっている。この移動機構２１は、フレーム部材３の外側の支持体（例えば棚板２）に対して軸部４５ａ、４６ａが支持されている。なお、歯車４５を回転させるための機構は、図１に示す機構以外にも、図２に示すような機構とすることもできる。図２に示す機構は、回転軸４８と、該回転軸４８と歯車４５の回転軸４５ａとの間に掛けられたベルト４７と、回転軸４８を回転させるクランク４９とを備え、クランク４９を手動で操作して歯車４５を回転させるようになっている。なお、以下の説明では、歯車４５を回転させる機構が図１に示すモータ４６を備える機構である場合について述べる。
【００４０】
一方、フレーム部材３の上壁３ａには、鍵スイッチ１５ａを搭載した鍵スイッチ基板１５が取り付けられている。また、鍵１０の下面における鍵スイッチ１５ａに対応する位置には、突起状の押圧部１２が形成されている。鍵１０が下方に移動すると押圧部１２が鍵スイッチ１５ａを押圧してこれをオンするようになっている。
【００４１】
棚板２の上面の後側には、下ストッパー２３が設置されている。下ストッパー２３は、図１における時計回り方向に移動する質量体２０を当接させて、質量体２０の同方向への移動を規制するものである。下ストッパー２３は、質量体２０の衝突による衝撃を吸収可能なフェルトやゴムなどの柔軟性を有する材料で構成されている。一方、フレーム部材３の上壁の後側の下面には、上ストッパー２４が設置されている。上ストッパー２４は、図１における反時計回り方向に移動する質量体２０を当接させて、質量体２０の同方向への移動を規制するものである。上ストッパー２４は、質量体２０の衝突による衝撃を吸収可能なフェルトやゴムなどの柔軟性を有する材料で構成されている。
【００４２】
ところで、図１に示すように、質量体２０が下ストッパー２３に当接しているとき、枠部材３０及び長尺状部材４０は、それらの長手方向が鍵盤装置１の前側から後側に向かって下降する方向に傾斜した状態になる。そのため、枠部材３０における載置面３２ａの後端近傍には、長尺状部材４０を係止してその長手方向の移動を規制する係止突起３３が形成されている。係止突起３３は、載置面３２ａに載置された長尺状部材４０の歯４１に噛み合う歯形状に形成されている。一方、フレーム部材３の上壁３ａにおける上ストッパー２４の近傍には、載置面３２ａに載置された長尺状部材４０を押さえる押さえ部２５が設けられている。押さえ部２５は、質量体２０が上ストッパー２４に当接してその移動が停止する際に長尺状部材４０に当接して該長尺状部材４０を押さえることで、質量体２０移動の勢いで長尺状部材４０が上方に移動して長尺状部材４０の歯４１と係止突起３３との噛み合いが外れることを防止するものである。
【００４３】
そして、図１に示すように、質量体２０が下ストッパー２３に当接する位置で、質量体２０に取り付けられた長尺状部材４０の後部が歯車４５に当接し、長尺状部材４０の歯４１が歯車４５に噛み合うようになっている。このとき、歯車４５によって長尺状部材４０の後部が載置面３２ａから僅かに上方に押し上げられた状態になる。これにより、長尺状部材４０と係止突起３３との噛み合いが外れ、長尺状部材４０の長手方向への移動が許容されるようになっている。その一方で、質量体２０が下ストッパー２３に当接する位置から反時計回り方向に移動すると、図２に示すように、長尺状部材４０の後部が上昇し、長尺状部材４０が歯車４５から離れる。これにより、係止突起３３が長尺状部材４０の歯４１に係合した状態となり、長尺状部材４０の長手方向への移動（ズレ）が規制されるようになっている。
【００４４】
上記構成の鍵盤装置１における演奏時の鍵１０及び質量体２０の動作を説明する。まず、質量体２０の重心位置は、長尺状部材４０の重さによって質量体支点７よりも後側の位置にあるため、質量体２０には、質量体支点７を中心に図１及び図２における時計回り方向に回転する回転力（モーメント）が生じている。したがって、鍵１０が押されていないとき、質量体２０は下ストッパー２３に当接して静止している。このとき、質量体２０の被駆動部３１は上昇した位置にあり、被駆動部３１に連結された駆動片１１を介して鍵１０が上方に持ち上げられた状態で静止している。このときの鍵１０及び質量体２０の位置を非押鍵位置という。
【００４５】
非押鍵位置にある鍵１０を押し下げると、鍵１０が下方に移動する。このとき、駆動片１１によって質量体２０の被駆動部３１が駆動されて下方に移動する。これにより、質量体２０が反時計回り方向に移動する。ところが、上記のように質量体２０には時計回り方向に回転する回転力が生じているため、この回転力によって、被駆動部３１から駆動片１１に反力としての荷重が付与される。この荷重は、鍵１０を介して演奏者の指に掛かる荷重となる。この演奏者の指に掛かる荷重によって、鍵１０のタッチ感（慣性質量感）が生じる。
【００４６】
鍵１０がさらに押し下げられてゆくと、質量体２０が反時計回り方向にさらに移動する。質量体２０が上ストッパー２４に当接すると、質量体２０及び鍵１０の移動が停止する。一方、その状態で鍵１０を押し下げている力を弱めると、質量体２０が長尺状部材４０の重さによる回転力で時計回り方向に移動し、鍵１０が上方に持ち上げられてゆく。鍵１０を押し下げている力を完全に解除すると、質量体２０が下ストッパー２３に当接することで質量体２０及び鍵１０の移動が停止して、質量体２０及び鍵１０が非押鍵位置に復帰する。
【００４７】
この鍵盤装置１では、質量体２０に取り付けた長尺状部材４０を移動させてその位置を変えることで、鍵１０のタッチ感を変更することができる。以下、この操作について説明する。長尺状部材４０を移動させるには、鍵１０及び質量体２０が非押鍵位置にある状態で、モータ４６により歯車４５を回転させる。歯車４５が回転すると、歯車４５に噛み合う長尺状部材４０の歯４１が送られることで、長尺状部材４０が長手方向に移動する。これにより、長尺状部材４０が質量体２０の挿入部３２に挿入される挿入量が変わる。
【００４８】
長尺状部材４０の挿入部３２への挿入量に応じて質量体２０の重心の位置が変わる。これにより、質量体２０を回転させる回転力の大きさが変化するので、質量体２０から鍵１０に与えられる荷重が変わり、鍵１０のタッチ感が変更される。さらに、長尺状部材４０の質量体２０への挿入量を詳細に調節すれば、鍵１０のタッチ感を所望のタッチ感に変えることができる。したがって、この鍵盤装置１を備える電子楽器が発生する楽音の音色や演奏者の好みなどに応じて、所望のタッチ感を実現することが可能となる。
【００４９】
本実施形態の鍵盤装置１では、質量体２０に挿入した長尺状部材４０を移動機構２１にて移動させるだけで、鍵１０にかかる荷重を変更することができる。したがって、簡単な操作で鍵１０のタッチ感を変えることが可能となる。また、この鍵盤装置１では、長尺状部材４０の一部を支持体の外側（棚板２及びフレーム部材３の外側）に突出させた状態で設置し、長尺状部材４０を移動させる移動機構２１を支持体の外側に配置している。この構成により、鍵１０のタッチ感を変える操作を支持体の外側における一定の位置での長尺状部材４０の出し入れで行うことが可能となる。したがって、特許文献１に記載の鍵盤装置のように、鍵１０のタッチ感を変える操作を行う際の操作位置が変わらずに済む。したがって、鍵１０のタッチ感を変更する操作が行い易くなる。
【００５０】
また、本実施形態の鍵盤装置では、鍵１０及び質量体２０が非押鍵位置にある状態で長尺状部材４０が歯車４５に接触し、鍵１０が押されると、質量体２０の移動により長尺状部材４０が上昇して歯車４５から離れるようになっている。このように構成したことで、鍵１０のタッチ感を変更する際には、長尺状部材４０を歯車４５に噛み合わせることで、歯車４５の回転を長尺状部材４０に確実に伝達して長尺状部材４０を移動させることが可能となる。その一方で、鍵１０が押されると長尺状部材４０が歯車４５から離れるので、揺動する質量体２０及び長尺状部材４０を移動機構２１から切り離すことができる。したがって、演奏時の鍵１０の操作感覚に質量体２０の本来の揺動に基づく感覚以外の感覚が加わらずに済む。
【００５１】
また、本実施形態の鍵盤装置１では、長尺状部材４０に歯４１を設け、歯車４５の回転で長尺状部材４０を移動させるように構成したので、移動する長尺状部材４０に滑りが生じることを防止でき、長尺状部材４０を確実に移動させることが可能となる。また、長尺状部材４０の歯４１と歯車４５との噛み合いによって長尺状部材４０を移動させるので、モータ４６の回転の位相を長尺状部材４０に正確に伝達することが可能となり、長尺状部材４０を正確な移動量で移動させることができるようになる。
【００５２】
なお、本実施形態の鍵盤装置１では、図１に示すように、長尺状部材４０を移動させるための駆動源としてモータ４６を備えている場合、長尺状部材４０の位置を変更する作業は、図示しない電子楽器の操作パネルなどに設けたスイッチの操作で行うことが可能である。したがって、複数の鍵１０のタッチ感を変える作業を簡単に行えるようになる。
【００５３】
また、本実施形態の鍵盤装置１では、詳細な図示は省略するが、例えば、歯車４５の回転軸４５ａを鍵盤装置１のスケール方向（図１及び図２の紙面に垂直な方向）に延ばし、回転軸４５ａを複数の鍵１０に対応する位置に跨るように配置し、この回転軸４５ａに複数の長尺状部材４０に対応する複数の歯車４５を取り付ければ、歯車４５及びモータ４６によって複数の長尺状部材４０を一括して移動させることが可能となる。これによれば、簡単な構成で複数の鍵１０のタッチ感を同時に変更することが可能となる。
【００５４】
〔第２実施形態〕
次に、本発明の第２実施形態にかかる鍵盤装置について説明する。なお、第２実施形態の説明及び対応する図面においては、第１実施形態と同一又は相当する構成部分には同一の符号を付し、以下ではその詳細な説明は省略する。また、以下で説明する事項以外の事項については、第１実施形態と同じである。これらの点は他の実施形態についても同様とする。
【００５５】
図３は、本発明の第２実施形態にかかる鍵盤装置１−２が備える鍵１０及びその周辺の構成部品を示す概略側断面図である。同図に示す鍵盤装置１−２では、長尺状部材４０−２として柔軟性を有する部材を用いている。したがって、長尺状部材４０−２は、外部から加わる力によって長手方向に沿って湾曲するようになっている。また、枠部材３０は、その質量体支点７より後側の部分が、長手方向の中間部が上方に膨らむように上下方向に若干湾曲した形状になっている。長尺状部材４０−２を挿入する挿入部３２は、枠部材３０における質量体支点７の後側の内部に形成された空洞状の部分からなり、長手方向が枠部材３０に沿って湾曲した曲線状の空洞として形成されている。本実施形態の長尺状部材４０−２は、挿入部３２の形状に沿って湾曲した状態で挿入されている。なお、長尺状部材４０−２は、その重さにより質量体２０に回転力を付与する錘としての機能を有する部材である。
【００５６】
長尺状部材４０−２は、挿入部３２に前側から挿入されている。挿入部３２の前端部には、枠部材３０の外部から挿入部３２へ長尺状部材４０−２を挿通させる挿通部３５が設けられている。挿通部３５の前端は、質量体２０の外部に開口する引出部３６になっている。長尺状部材４０−２は、その後端（先端）が引出部３６及び挿通部３５を通って挿入部３２に挿入された状態で、前側の部分が引出部３６から質量体２０の外部に引き出されている。引出部３６は、枠部材３０における質量体支点７の近傍の位置に設けられている。
【００５７】
長尺状部材４０−２における質量体２０の外部に出ている部分は、質量体２０の前側の下方に設けた格納部２６に格納されている。格納部２６は、筒状の部材を渦巻形状に巻き回して形成されている。格納部２６は、その出口部２６ａが質量体２０の引出部３６に対向する位置に開口している。格納部２６には、長尺状部材４０−２を移動させる移動機構２１−２が設けられている。移動機構２１−２は、格納部２６の中心部に設けた長尺状部材４０−２の巻き取り及び送り出しが可能な機構で構成されている。移動機構２１−２によって長尺状部材４０−２を長手方向に移動させることで、長尺状部材４０−２を挿入部３２に出し入れすることができる。なお、格納部２６は、ケース２７に収納されて棚板２の下面に取り付けられている。
【００５８】
本実施形態の鍵盤装置１−２によれば、長尺状部材４０−２に柔軟性を有する部材を用いたので、引出部３６から質量体２０の外部に引き出されている長尺状部材４０−２が少ない抵抗で変形するようになる。したがって、質量体２０の外部に引き出されている長尺状部材４０−２が質量体２０の揺動の動作に与える影響が小さくて済むので、質量体２０のスムーズな揺動が実現される。これにより、演奏時の鍵１０の操作感覚が良好になる。
【００５９】
また、長尺状部材４０−２に柔軟性を有する部材を用いたことで、質量体２０に形成した挿入部３２が上記のように湾曲した形状など直線状以外の形状であっても、挿入部３２に挿入される長尺状部材４０−２が挿入部３２の形状に追従するようになる。したがって、質量体２０への長尺状部材４０−２の出し入れが滑らかになり、鍵１０のタッチ感の変更がスムーズに行えるようになる。
【００６０】
また、長尺状部材４０−２に柔軟性を有する部材を用いたことで、質量体２０の外部に出ている長尺状部材４０−２を上記のような渦巻形状など省スペース化を図ることが可能な形状に変形させることができる。これにより、質量体２０の外部に出ている長尺状部材４０−２の設置スペースを節約できるので、その分、鍵盤装置１−２の小型化を図ることができる。
【００６１】
〔第３実施形態〕
図４は、本発明の第３実施形態にかかる鍵盤装置１−３が備える質量体２０の構成例を示す概略側面図である。同図に示す質量体２０は、長尺状部材４０−３と、長尺状部材４０−３に隣接して該長尺状部材４０−３と共動する隣接部材（他の部材）５０とを備えて構成されている。
【００６２】
本実施形態の質量体２０では、枠部材３０の質量体支点７の後側に隣接部材５０を取り付けるための取付部３７が設けられている。取付部３７は、枠部材３０に一体形成された上下一対のガイドレール３８，３８を備えている。ガイドレール３８，３８は、枠部材３０の上端と下端とに一本ずつ互いに平行に形成されており、質量体支点７の近傍から後側に向かって延びている。両ガイドレール３８，３８の後端は、枠部材３０の後端部３４に連結されている。
【００６３】
隣接部材５０は、金属材料などで構成された所定の質量を有する塊状の部材である。隣接部材５０は、本体部５０ａと該本体部５０ａの上部及び下部に設けた支持部５０ｂ，５０ｂとを備え、支持部５０ｂ，５０ｂには、両ガイドレール３８，３８を挿通させるガイド穴５１，５１が形成されている。ガイド穴５１，５１は、その内周がガイドレール３８，３８の外周に摺接することでガイドレール３８，３８に沿って移動可能になっている。
【００６４】
取付部３７の前端部には、枠部材３０の外部から両ガイドレール３８，３８の間に設けた挿入部３２に連通する貫通穴からなる挿通部３５が設けられている。挿通部３５の前端は、質量体２０の外部に開口する引出部３６になっている。引出部３６は、枠部材３０における質量体支点７の近傍位置に設けられている。長尺状部材４０−３は、その先端（後端）が引出部３６から挿通部３５を通って挿入部３２内に挿入された状態で、前側の部分が引出部３６から質量体２０の外部に引き出されている。
【００６５】
挿入部３２に挿入されている長尺状部材４０−３の後端に隣接する位置には、隣接部材５０が設置されている。隣接部材５０は、長尺状部材４０−３の後端に固定されている。長尺状部材４０−３は、外部から加わる力により長手方向に沿って多少湾曲するようになっているが、長手方向への移動に伴い隣接部材５０を一体的に移動させるだけの硬さを有している。したがって、隣接部材５０は、長尺状部材４０−３の移動に伴いガイドレール３８，３８でガイドされながら長尺状部材４０−３と一体的に移動する。なお、長尺状部材４０−３が挿通されている挿通部３５、あるいはガイドレール３８におけるガイド穴５１に摺接する外周面には、長尺状部材４０−３あるいは隣接部材５０の移動を滑らかにするための潤滑油（グリス）などの潤滑剤を塗布することが望ましい。
【００６６】
そして、本実施形態の鍵盤装置１−３では、長尺状部材４０−３として比重が比較的小さい金属材料などからなるワイヤーを用いるとともに、隣接部材５０として、長尺状部材４０−３よりも比重の大きい金属材料などからなる部材を用いることが可能である。このように、長尺状部材４０−３に隣接部材５０を取り付け、隣接部材５０として、長尺状部材４０−３よりも比重の大きい部材を選択すれば、長尺状部材４０−３単独で質量体２０の重心位置を移動させる場合よりも、質量体２０の重心位置の移動量を大きくすることが可能となる。これにより、鍵１０のタッチ感の変更の幅（レンジ）を拡大できるので、鍵１０のタッチ感を大きく変えることができ、タッチ感の変更が演奏者の演奏感覚に与える効果をより大きなものにすることができる。
【００６７】
また、本実施形態の鍵盤装置１−３では、長尺状部材４０−３が質量体２０の外部に引き出される引出部３６を質量体支点７の近傍位置に設けている。この引出部３６は、質量体支点７の近傍にあることで、質量体２０の揺動に伴い、向きが変化するが、位置は僅かに変化するだけである。したがって、質量体２０が揺動する際に引出部３６から出ている長尺状部材４０−３は角度が変化するが、移動量は最小限に抑えられることとなる。これにより、演奏時の押鍵によって質量体２０が繰り返し揺動しても、引出部３６から出ている長尺状部材４０−３にかかる負担が少なくて済む。そのため、長尺状部材４０−４が長持ちし、耐久性に優れた鍵盤装置となる。
【００６８】
なお、図４では、引出部３６を質量体支点７の下方の枠部材３０における前側の面に設けているが、ここでいう引出部３６を設ける質量体支点７の近傍位置とは、図４に示す位置には限定されず、質量体支点７に近い位置であって質量体２０の揺動に伴う長尺状部材４０−４の移動量を出来る限り少なく抑えることができる位置であれば、質量体支点７の周りの他の位置であってもよい。
【００６９】
なお、本実施形態の鍵盤装置１−３において長尺状部材４０−３と共動させる隣接部材５０の数は、図３に示す１個には限らず、２個以上を設けることも可能である。そして、隣接部材５０の数や重さを適宜に選択すれば、鍵１０のタッチ感の変更の幅（レンジ）を所望の幅に調節することが可能となる。また、上記では、長尺状部材４０−３と共動させる隣接部材５０として、長尺状部材４０−３よりも比重が大きい部材を用いる場合を説明したが、これとは逆に、隣接部材５０として長尺状部材４０−３よりも比重の小さい部材を用いることも可能である。
【００７０】
また、本実施形態の鍵盤装置１−３では、引出部３６を質量体支点７の近傍位置に設けているが、質量体２０の揺動に伴い、僅かではあるが引出部３６の位置が変化する。したがって、鍵１０の操作時に長尺状部材４０−３における質量体２０の外部に出ている部分が棚板２あるいはフレーム３などの支持体に対して固定されている場合、質量体２０の揺動に伴って長尺状部材４０−３が質量体２０から出し入れされるので、長尺状部材４０−３の挿入部３２への挿入量が若干変化する。このことを利用して鍵１０のタッチ感を調節することができる。すなわち、押鍵時に鍵１０の下降に伴って長尺状部材４０−３が質量体２０から引き出されるように引出部３６を配置しておけば、押鍵時に質量体２０の回転モーメントが次第に小さくなるので、押鍵に伴って鍵１０のタッチ感が次第に軽くなるような設定が可能となる。一方、離鍵時に鍵が上昇するにつれて長尺状部材４０−３が質量体２０から引き出されるように引出部３６を配置しておけば、離鍵時に質量体２０の回転モーメントが次第に小さくなるので、離鍵によって鍵１０が非押鍵位置に戻る際に鍵１０のタッチ感が次第に軽くなるような設定が可能となる。なお、このような設定は、第２実施形態の鍵盤装置１−２や後述する第４実施形態の鍵盤装置１−４においても同様に行うことが可能である。
【００７１】
〔第４実施形態〕
図５は、本発明の第４実施形態にかかる鍵盤装置１−４が備える質量体２０の構成例を示す図で、（ａ）は、質量体２０の側面図、（ｂ）は、質量体支点７及びその近傍の部分拡大図、（ｃ）は、（ｂ）におけるＡ−Ａ矢視断面図である。本実施形態の鍵盤装置１−４では、質量体２０における枠部材３０に設けた挿入部３２を枠部材３０の長手方向に沿って略Ｓ字型に湾曲する曲線形状の空洞として形成している。
【００７２】
また、長尺状部材４０−４の先端（後端）には、長尺状部材４０−４の移動に伴い長尺状部材４０−４と一体的に移動する隣接部材（他の部材）５０−２が連結されている。本実施形態の隣接部材５０−２は、多数個の玉状の錘体５２が一列に連結されて構成されている。この隣接部材５０−２は、長手方向に沿って湾曲可能な状態になっている。一方、長尺状部材４０−４は、若干の可撓性を有し、外部から加わる力により長手方向に沿って多少湾曲するようになっているが、その長手方向への移動に伴い隣接部材５０−２を一体的に移動させるだけの硬さを有している。したがって、長尺状部材４０−４と隣接部材５０−２とは、長尺状部材４０−４の移動に伴って挿入部３２の形状に追従しながら一体的に挿入部３２内を前後に移動するようになっている。
【００７３】
また、本実施形態の鍵盤装置１−４では、引出部３６は、質量体支点７に設けられている。この点を詳細に説明すると、図５（ｂ）及び（ｃ）に示すように、質量体支点７には、枠部材３０に対して固定された回転軸７ａが設けられている。回転軸７ａは、質量体支持片６に設けた支持穴７０に軸支されており、質量体支持片６に対して質量体支点７を中心に枠部材３０と一体に回転するようになっている。そして、回転軸７ａには、その中心軸と直交する方向に貫通する挿通部３５が設けられている。挿通部３５は、その前端が質量体２０の外部に開口する引出部３６になっており、後端が挿入部３２に連通している。長尺状部材４０−４は、引出部３６から挿入部３２に挿入されている。なお、引出部３６は、その内周が前側の開口端に向かって円錐状に拡径した形状に形成されており、前側の開口端が長尺状部材４０−４の径よりも大きな径に広げられている。
【００７４】
このように長尺状部材４０−４が質量体２０の外部に引き出される引出部３６を質量体支点７に設けていることで、質量体２０の揺動に伴い、引出部３６は向きが変化するだけで、位置は質量体支点７と一致したまま変化しない。したがって、質量体２０が揺動する際に引出部３６から出ている長尺状部材４０−４は角度が変化するが、位置は変化せずに済む。これにより、第３実施形態のように引出部３６を質量体支点７の近傍位置に設けている場合よりも、長尺状部材４０−４にかかる負担をさらに少なくすることが可能となる。よって、長尺状部材４０−４がさらに長持ちし、耐久性に優れた鍵盤装置となる。
【００７５】
また、本実施形態の鍵盤装置１−４によれば、上記のように質量体２０が揺動する際の長尺状部材４０−４の移動量を最小限に抑えることができるので、質量体２０の揺動がスムーズになる。これにより、演奏時の鍵１０の操作感覚が良好になる。なお、上記のように引出部３６の内周を円錐状に形成することで、質量体２０が揺動する際の引出部３６と長尺状部材４０−４との干渉を減らすことができる。したがって、長尺状部材４０−４の移動量を最小限に抑えながらも、質量体２０のスムーズな揺動を実現できるようになる。
【００７６】
〔第５実施形態〕
図６は、本発明の第５実施形態にかかる鍵盤装置１−５の構成例を示す概略図である。同図に示す鍵盤装置１−５では、図４に示す第３実施形態の鍵盤装置１−３あるいは図５に示す第４実施形態の鍵盤装置１−４の構成に加えて、長尺状部材４０−３（４０−４）を移動させる移動機構２１−５の構成部材として、複数の鍵１０に対応する長尺状部材４０−３（４０−４）を一括して移動させる移動部材２８を備えている。なお、以下では、長尺状部材４０−３を例に説明する。移動部材２８は、鍵盤装置１−５の手前側に配置され、その長手方向がスケール方向に延びる長尺状の部材からなる。移動部材２８は、スケール方向で複数の鍵１０（同図では、鍵盤装置１−５の全部の鍵１０）に対応する位置に跨って設置されている。この移動部材２８には、各鍵１０に対応する長尺状部材４０−３が連結されている。各長尺状部材４０−３は、質量体２０から引き出されている部分の手前側の端部が係止部２９で移動部材２８に係止されている。
【００７７】
移動部材２８は、その長手方向の両端２８ａ，２８ｂが鍵盤装置１−５の奥行方向、すなわち、長尺状部材４０−３を質量体２０から出し入れする方向に移動可能になっている。移動部材２８の両端２８ａ，２８ｂは、互いに独立して上記の方向に移動可能になっている。なお、図５では、移動部材２８の両端２８ａ，２８ｂが共に移動可能である場合を示しているが、本実施形態の鍵盤装置１−５が備える移動部材２８は、両端２８ａ，２８ｂのうちのいずれか一方だけが移動可能になっていてもよい。
【００７８】
本実施形態の鍵盤装置１−５によれば、移動部材２８の一端２８ａ又は２８ｂあるいは両端２８ａ，２８ｂを移動させることで、複数の鍵１０に対応する複数の長尺状部材４０−３を一括して移動させることができる。したがって、複数の鍵１０のタッチ感を変更する作業を簡単かつ迅速に行える。また、一の移動部材２８で複数の鍵１０に対応する複数の長尺状部材４０−３を移動させるように構成したので、長尺状部材４０−３を移動させる移動機構２１−５の部品点数を少なくすることができ、鍵盤装置１−５の構成を簡単にすることができる。
【００７９】
また、本実施形態の鍵盤装置１−５では、移動部材２８の両端２８ａ，２８ｂを鍵盤装置１−５の奥行方向で互いに異なる位置に配置することができる。移動部材２８の両端をこのように配置すれば、移動部材２８の長手方向を鍵盤装置１−５のスケール方向に対して傾けた状態にすることができる。これにより、各鍵１０に対応する長尺状部材４０−３が質量体２０に挿入される挿入量をスケール方向で順に異ならせて、各鍵１０にかかる荷重を順に異ならせ、タッチ感のキースケーリングを行うことができる。
【００８０】
図７は、図６に示す鍵盤装置１−５によるタッチ感のキースケーリングの例を示すグラフである。同図のグラフでは、横軸に鍵盤装置１−５のスケール方向を取り、縦軸に各鍵１０にかかる荷重の大きさを取っている。図６において、低音側の端部２８ａが奥側になり、高音側の端部２８ｂが手前側になるように移動部材２８の両端部２８ａ，２８ｂを移動させれば、図７（ａ）に示すように、低音の鍵１０から高音の鍵１０になるにつれて鍵１０にかかる荷重が次第に小さくなるように設定できる。これにより、低音の鍵１０から高音の鍵１０になるにつれて鍵１０のタッチ感が順番に軽くなるようなキースケーリングが可能となる。一方、低音側の端部２８ａが手前側になり、高音側の端部２８ｂが奥側になるように移動部材２８の両端部２８ａ，２８ｂを移動させれば、図７（ｂ）に示すように、低音の鍵１０から高音の鍵１０になるにつれて鍵１０にかかる荷重が次第に大きくなるように設定できる。これにより、低音の鍵１０から高音の鍵１０になるにつれて順に鍵１０のタッチ感が重くなるようなキースケーリングが可能となる。
【００８１】
上記の場合において、移動部材２８の端部２８ａ，２８ｂのいずれか一方又は双方を鍵１０の長手方向に移動させる相対的な移動量を調節すれば、移動部材２８の長手方向をスケール方向に対して傾斜させる傾斜量を調節できる。これにより、鍵１０のタッチ感をキースケーリングする量（スケール方向におけるタッチ感の変化量）を調節することが可能となる。したがって、タッチ感のキースケーリングの有無だけでなく、キースケーリングする量を所望の量とすることができるようになる。
【００８２】
また、本実施形態の鍵盤装置１−５では、詳細な図示は省略するが、例えば、鍵１０を１オクターブ毎あるいは２オクターブ毎にグループ化し、グループ毎に移動部材２８を設置することもできる。この構成によれば、１オクターブ毎あるいは２オクターブ毎に異なる移動部材２８にて長尺状部材４０−３を移動させることができる。このように構成した上で、グループ毎に移動部材２８の配置を段階的に異ならせれば、１オクターブ毎あるいは２オクターブ毎の鍵１０に対応する長尺状部材４０−３質量体２０への挿入量を段階的に異ならせることができる。これにより、鍵１０のタッチ感を１オクターブあるいは２オクターブ毎に段階的に異ならせるキースケーリングが可能となる。なお、鍵１０は、１オクターブ毎あるいは２オクターブ毎に分けてグループ化する以外にも、他の分け方でグループ化することも可能である。
【００８３】
なお、上記の説明では、本実施形態の鍵盤装置１−５が備える移動部材２８で移動させる長尺状部材として、第３実施形態の長尺状部材４０−３あるいは第４実施形態の長尺状部材４０−４を例に挙げたが、これ以外にも、第２実施形態の鍵盤装置１−２において、該鍵盤装置１−２が備える格納部２６及び移動機構２１−２に代えて本実施形態の移動機構２１−５を設置すれば、第２実施形態の長尺状部材４０−２を本実施形態の移動部材２８にて移動させるように構成することができる。
【００８４】
〔第６実施形態〕
図８は、本発明の第６実施形態にかかる鍵盤装置１−６の構成例を示す概略側面図である。本実施形態の鍵盤装置１−６では、長尺状部材４０−６を移動させるための駆動源であるモータ４３と、該モータ４３の駆動力にて長尺状部材４０−６を移動させる移動機構２１−６とを質量体２０に搭載している。これにより、長尺状部材４０−６は、質量体２０の外部に対して接触する箇所はなく、質量体２０の外部から独立した状態で設置されている。
【００８５】
長尺状部材４０−６を挿入する挿入部３２は、枠部材３０の内部で該枠部材３０の長手方向に延びる細長い空洞として形成されている。挿入部３２は、長手方向の中間部が若干下方に膨らむように湾曲した曲線形状の空洞になっている。これに伴い、長尺状部材４０−６は、その長手方向が挿入部３２の長手方向に沿う曲線形状に形成されている。なお、本実施形態の長尺状部材４０−６は、その重さにより質量体２０に質量体支点７回りの回転力を付与する錘として機能する部材である。
【００８６】
質量体２０に搭載されたモータ４３は、挿入部３２の中間部付近の上方に取り付けられている。モータ４３は、その回転軸４３ａが下方に延びており、回転軸４３ａには歯車（ピニオン）４４が取り付けられている。一方、長尺状部材４０−６の側面には、歯車４４に噛み合う歯（ラック）４２が形成されている。歯車４４と長尺状部材４０−６に設けた歯４２とによって長尺状部材４０−６を移動させる移動機構２１−６が構成されている。これにより、モータ４３の回転が歯車４４を介して長尺状部材４０−６に伝達されることで、長尺状部材４０−６が挿入部３２内を長手方向に移動するようになっている。なお、モータ４３の配線４３ｂは鍵スイッチ基板１５に接続されている。
【００８７】
本実施形態の鍵盤装置１−６によれば、長尺状部材４０−６を移動させるためのモータ４３と移動機構２１−６とを質量体２０に搭載しているので、長尺状部材４０−６が質量体２０の外部に対して接触する箇所が無く、長尺状部材４０−６は質量体２０の外部から独立した状態になっている。したがって、揺動する質量体２０の系が静止している外部の系に対して完全に独立した状態になっている。これにより、揺動する質量体２０に本来作用すべき力以外の力が作用しないので、鍵１０の操作感覚に質量体２０の本来の揺動に基づく感覚以外の感覚が加わらずに済み、演奏時の鍵１０の操作感覚が良好になる。
なお、上記各実施例では、本発明を手鍵盤に適用した例について説明したが、これに限らず、ペダル鍵盤においても適用することができるのはもちろんである。
【００８８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。
【図面の簡単な説明】
【００８９】
【図１】本発明の第１実施形態にかかる鍵盤装置が備える鍵及びその周辺の構成部品の概略側断面図である。
【図２】本発明の第１実施形態にかかる鍵盤装置が備える鍵及びその周辺の構成部品の概略側断面図である。
【図３】本発明の第２実施形態にかかる鍵盤装置が備える鍵及びその周辺の構成部品の概略側断面図である。
【図４】本発明の第３実施形態にかかる鍵盤装置が備える鍵及びその周辺の構成部品の概略側断面図である。
【図５】本発明の第４実施形態にかかる鍵盤装置が備える質量体の概略側面図である。
【図６】本発明の第５実施形態にかかる鍵盤装置の概略図である。
【図７】第５実施形態にかかる鍵盤装置によるタッチ感のキースケーリングの例を示す図である。
【図８】本発明の第６実施形態にかかる鍵盤装置が備える鍵及びその周辺の構成部品の概略側断面図である。
【符号の説明】
【００９０】
１    鍵盤装置
２    棚板（支持体）
３    フレーム部材（支持体）
５    鍵支点
７    質量体支点
１０    鍵
１１    駆動片（伝達部）
２０    質量体
２１，２１−２，２１−５，２１−６    移動機構
２８    移動部材
２８ａ    端部
２８ｂ    端部
２９    係止部
３０    枠部材
３２    挿入部
３６    引出部
３８    ガイドレール
４０〜４０−６  長尺状部材
５０，５０−２  隣接部材（他の部材）
【図１】
2009063668.tif 000003
【図２】
2009063668.tif 000004
【図３】
2009063668.tif 000005
【図４】
2009063668.tif 000006
【図５】
2009063668.tif 000007
【図６】
2009063668.tif 000008
【図７】
2009063668.tif 000009
【図８】
2009063668.tif 000010